(57)【要約】【課題】人体の側面付近に対してポイント感のあるマッサージを行う。【解決手段】座部２上面と背もたれ３前面の少なくとも一方の左右両側に夫々配された回動板１２と、表面に施療突起１７を備えた上記回動板１２を回動させて上記施療突起１７を人体側面に押し付ける回動機構１３とを備える。回動板１２を回動させて施療突起１７を人体に押し付けることでポイントマッサージを得る。【選択図】図１
2008132036.tif 000002
【特許請求の範囲】
【請求項１】
座部上面と背もたれ前面の少なくとも一方の左右両側に夫々配された回動板と、表面に施療突起を備えた上記回動板を回動させて上記施療突起を人体側面に押し付ける回動機構とを備えていることを特徴とするマッサージ機。
【請求項２】
回動機構は背もたれもしくは座部に設けた凹部内に納められていることを特徴とする請求項１記載のマッサージ機。
【請求項３】
背もたれの左右両側に設けられて回動機構を収めている凹部は、その回動機構を背もたれの両側端寄りの位置に納めていることを特徴とする請求項２記載のマッサージ機。
【請求項４】
回動板はその軸寄りの周縁に切欠を備えていることを特徴とする請求項１〜３のいずれか１項に記載のマッサージ機。
【請求項５】
回動板は凹部の開口を閉じる蓋として形成されたものであるとともに、回動板は凹部の開口を閉じた状態で凹部の開口縁との間に隙間が生じる大きさとされていることを特徴とする請求項２または３記載のマッサージ機。
【請求項６】
回動板の表面には複数の施療突起が設けられているとともに、これら施療突起は左右方向及び回動の軸方向においてずれた位置に設けられていることを特徴とする請求項１〜５のいずれか１項に記載のマッサージ機。
【請求項７】
回動機構は膨張収縮駆動される蛇腹状エアバッグであることを特徴とする請求項１〜６のいずれか１項に記載のマッサージ機。
【請求項８】
エアバッグの一端が固定された凹部底壁は傾斜面となっていることを特徴とする請求項７記載のマッサージ機。
【請求項９】
エアバッグはその断面形状が空豆形状であることを特徴とする請求項７または８記載のマッサージ機。
【発明の詳細な説明】
【技術分野】
【０００１】
本発明は、マッサージ機、殊に椅子型のマッサージ機に関するものである。
【背景技術】
【０００２】
椅子型のマッサージ機において、背もたれの両側前面にエアバッグを配置して、このエアバッグを膨張収縮させることで人体の背面両側（肩甲骨の外側面付近）をマッサージすることができるものが特許文献１に示されている。
【０００３】
このものでは、エアバッグが直接人体を押圧するためにソフトなマッサージとなり、ポイント感のあるマッサージを得ることはできなかった。  
【特許文献１】特開２０００−３２５４１６号公報
【発明の開示】
【発明が解決しようとする課題】
【０００４】
本発明は上記の従来の問題点に鑑みて発明したものであって、人体の側面付近に対してポイント感のあるマッサージを行うことができるマッサージ機を提供することを課題とするものである。
【課題を解決するための手段】
【０００５】
上記課題を解決するために本発明に係るマッサージ機は、座部上面と背もたれ前面の少なくとも一方の左右両側に夫々配された回動板と、表面に施療突起を備えた上記回動板を回動させて上記施療突起を人体側面に押し付ける回動機構とを備えていることに特徴を有している。表面に施療突起を備えた回動板を回動させて施療突起を人体に押し付けることでポイントマッサージが得られるようにしたものである。
【０００６】
上記回動機構は背もたれもしくは座部に設けた凹部内に納められたものを好適に用いることができ、特に背もたれの左右両側に設けられて回動機構を収めている凹部については、その回動機構を背もたれの両側端寄りの位置に納めたものであることが好ましい。
【０００７】
また、上記回動板はその軸寄りの周縁に切欠を備えていると、回動によって開閉する回動板で指などを挟んでしまう事態を避けることができる。
【０００８】
回動板は凹部の開口を閉じる蓋として形成されたものである時、回動板は凹部の開口を閉じた状態で凹部の開口縁との間に隙間が生じる大きさとされていることが、やはり指を挟んでしまう事態を避けることができる点で好ましい。
【０００９】
回動板の表面に複数の施療突起を設けるとともに、これら施療突起は左右方向及び回動の軸方向においてずれた位置に設けておくと、人体の体格上のばらつきへの対応が容易となる。
【００１０】
回動機構は膨張収縮駆動される蛇腹状エアバッグがその大きさとストロークの点で好適である。
【００１１】
この時、エアバッグの一端が固定された凹部底壁は傾斜面となっていると、エアバッグの力が逃げにくくなるために、力の作用方向が別の方向となってしまう反転が生じにくくなる。
【００１２】
エアバッグの断面形状を空豆形状とすることも、上記反転の防止に有効である。
【発明の効果】
【００１３】
本発明は、表面に施療突起を備えた回動板を回動機構によって回動させて施療突起を人体に押し付けるために、ポイント感のあるマッサージを得ることができる。特に左右の回動板を同時に動かして左右から人体を挟むようにすれば、更に有効なマッサージを得ることができる。
【発明を実施するための最良の形態】
【００１４】
以下、本発明を添付図面に示す実施形態に基いて説明すると、このマッサージ機１は図１に示すように、座部２と背もたれ３及び肘掛け５を備える椅子型のもので、座部２の先端側には脚乗せ台４が回動自在に連結されている。
【００１５】
そして背もたれ１内を上下に自走するとともに背もたれ１に持たれた人体９の背面から肩・首筋に至る部分を施療子７でマッサージするマッサージ手段６が背もたれ１の内部に納められているのであるが、このマッサージ機１では上記マッサージ手段６に加えて、背もたれ６の両側上部にマッサージユニット１０，１０が夫々配設されている。
【００１６】
これらマッサージユニット１０は、背もたれ３の両側前面に設けられている硬質樹脂製のカバー３０に設けた凹部３１の前面側及び側面側の開口部を閉じる蓋を兼ねた回動板１２と、上記凹部３１内に納められてその膨張収縮によって回動板１２を回動させる蛇腹状のエアバッグ１３とからなるもので、断面が楕円もしくは空豆形状（図４(b)参照）とされたエアバッグ１３の両端は夫々回動板１２と凹部３１の底壁とに連結固定されている。図中１５は回動板１２の開き角度を制限するストッパであり、両端が回動板１２と凹部３１の底壁とに連結固定されているテープで形成されている。
【００１７】
上記回動板１２は背もたれ３の左右方向中心側寄りの側縁が軸１１でカバー３０に枢着されて回動自在となっているものであるとともに、前面側に複数個の施療突起１７を備えたもので、上記軸１１の部分に配された捻りコイルばねからなる復帰ばね１４で凹部３１の開口を閉じる方向に付勢されている。
【００１８】
そしてエアバッグ１３を膨張させたならば、図３及び図４(a)に示すように回動板１２は背もたれ３に持たれている人体９の両側に立ち上がるように回動し、表面に設けられている施療突起１７が人体９の上半身の背面寄りの側面を押圧してポイントマッサージを行う。
【００１９】
エアバッグ１３を収縮させた時には上記復帰ばね１４による付勢もあって回動板１２が上記凹部３１の開口を閉じる位置にあり、エアバッグ１３は凹部３１内にあるために、背もたれ３に持たれている人にとって回動板１２やこの回動板１２を回動させるためのエアバッグ１３が邪魔になったりすることはない。
【００２０】
なお、実際のマッサージは、上記エアバッグ１３に膨張収縮を繰り返させることで施療突起１７が間欠的（周期的）に人体９の背面寄り側面を押圧するものとなっている。図５はエアバッグ１３を膨張収縮させるための構成を示しており、図中４１は制御回路、４２はエアポンプ、４３はフィルタタンク、４４は電磁三方弁である。
【００２１】
上記施療突起１７は、回動板１２の表面に複数設けているが、上方に位置する施療突起１７ほど外側に位置するようにしているのは、身長に依存して変わる人体幅のばらつきに対応するためである。
【００２２】
ここにおいて、エアバッグ１３として蛇腹状のものを用いているのは、その断面積が小さくても大きいストロークを確保することができるために、エアバッグ１３及びエアバッグ１３を収納する凹部３１を小さくすることができるためである。
【００２３】
また、エアバッグ１３は図４から明らかなように、凹部３１の底壁の外側部分に一端を連結固定することで、背もたれ３の中央部に位置するマッサージ手段６の移動のためのスペースを大きくとることができるようにしている。
【００２４】
なお、凹部３１の底壁におけるエアバッグ１３が連結固定された部分を斜めに傾斜させているのは、エアバッグ１３の力が外方向に逃げずらくなるようにして、エアバッグ３の反転（腰折れ）を防止するためである。この点に関しては、エアバッグ３の断面形状（Ａ−Ａ線断面形状）を空豆形状にして、凹溝部分が外側にくるように配置することも有効である。
【００２５】
回動板１２の軸１１寄りの端縁に設けた切欠２０は回動板１２を閉じた時に回動板１２とカバー３０との間で指などの人体９の一部を挟んでしまう虞を無くすためであり、また、回動板１２の大きさを凹部３１の開口の大きさよりも小さくするとともに凹部３１の開口縁に面取りを施して、図２に示すように開口を閉じた状態の回動板１２の縁の回りに隙間が生じるようにしているのも、指などを挟んでしまうことがないようにするためである。
【００２６】
回動板１２に設けた施療突起１７が人体９の上腕部をマッサージするようにしたものであってもよい。また、背もたれ３ではなく、図６に示すように座部２の両側上面に回動板１２を配置し、人体９の大腿部側面をマッサージすることができるようにしたものであってもよい。
【図面の簡単な説明】
【００２７】
【図１】本発明の実施の形態の一例を示しており、(a)は斜視図、(b)は側面図である。
【図２】同上の要部の斜視図である。
【図３】同上の回動板を回動させた状態の斜視図である。
【図４】(a)(b)は同上の回動板を回動させた状態の断面図とＡ−Ａ線断面図である。
【図５】同上のエアバッグ用のブロック図である。
【図６】他例の斜視図である。
【符号の説明】
【００２８】
１  マッサージ機
２  座部
３  背もたれ
１０  マッサージユニット
１２  回動板
１３  エアバッグ
１７  施療突起
【図１】
2008132036.tif 000003
【図２】
2008132036.tif 000004
【図３】
2008132036.tif 000005
【図４】
2008132036.tif 000006
【図５】
2008132036.tif 000007
【図６】
2008132036.tif 000008